(57)【特許請求の範囲】
【請求項１】
磁気テープを巻装した単一のリールがカートリッジケース内に回転可能に収容され、前記磁気テープの先端部に取り付けられたテープ引出し用リーダピンが前記カートリッジケースのテープ引出し用開口部内に着脱可能に保持されてなる磁気テープカートリッジにおいて、
前記リーダピンが、芯軸部と、該芯軸部に側方から弾性的に嵌着されて前記磁気テープの先端部を前記芯軸部との間に挟持するＣ字状の断面形状を有するクランプ部材とを備え、かつ該クランプ部材が、荷重撓み温度が１３０℃以上である合成樹脂材料で形成されており、
前記合成樹脂材料が、繊維で強化された合成樹脂材料からなることを特徴とする磁気テープカートリッジ。
【請求項２】
磁気テープを巻装した単一のリールがカートリッジケース内に回転可能に収容され、前記磁気テープの先端部に取り付けられたテープ引出し用リーダピンが前記カートリッジケースのテープ引出し用開口部内に着脱可能に保持されてなる磁気テープカートリッジにおいて、
前記リーダピンが、軸部と、該軸部に側方から弾性的に嵌着されて前記磁気テープの先端部を前記軸部との間に挟持するＣ字状の断面形状を有するクランプ部材とを備え、かつ該クランプ部材が、溶融温度あるいは軟化点が２２０℃以上である合成樹脂材料で形成されており、
前記合成樹脂材料が、繊維で強化された合成樹脂材料からなることを特徴とする磁気テープカートリッジ。
【発明の詳細な説明】
【０００１】
【発明の属する技術分野】
本発明は、磁気テープを巻装した単一のリールがカートリッジケース内に回転可能に収容された磁気テープカートリッジに関し、特に、磁気テープを引き出すために磁気テープの先端部に取り付けられるリーダピンで用いられるおけるテープクランプ部材の材質に関するものである。
【０００２】
【従来の技術】
従来、コンピュータメモリのバックアップ用の記録媒体として使用されている磁気テープカートリッジには、単一のリールに磁気テープを巻装し、このリールを、互いに結合された四角形の上ハーフと下ハーフとからなる偏平なカートリッジケース内に回転可能に収容したタイプのものが知られている。
【０００３】
この磁気テープは、重要な情報が記憶されているため、テープジャミング等のトラブルが発生しないように、また不用意に磁気テープが引き出されないようになっている。
【０００４】
また、上記磁気テープの先端部にはリーダピンが取り付けられ、この磁気テープカートリッジが記録再生装置に装着されたとき、磁気テープが上記リーダピンを介して引き出され、磁気テープへのデータの読み書きが可能になるように構成されている。そして、上記リーダ部材は、カートリッジケースに着脱可能に保持されるようになっている。
【０００５】
【発明が解決しようとする課題】
ところで、磁気テープの先端部に上記リーダピンを取り付ける構造として、リーダピンの芯軸部に側方から弾性的に嵌着されて磁気テープの先端部を上記芯軸部との間に挟持するＣ字状の断面形状を有する金属製または合成樹脂製のクランプ部材（Ｃクリップ）を用いるテープクランプ構造が提案されている。
【０００６】
ところが、上記弾性を有するクランプ部材を合成樹脂で形成した場合、テープクランプ状態では、クランプ部材に芯軸部に嵌着する方向に常時応力がかかっているから、高温下での、または高温・高湿下での保管または使用においては、クリープ変形（弾性限度内の一定の応力を長時間加えたときに生じる緩慢な永久変形）あるいは応力緩和（材料を一定の歪の下で応力が時間とともに漸減する現象）が発生し、テープクランプ力が低下するという問題がある。
【０００７】
上述の点に鑑み、本発明は、磁気テープカートリッジのリーダピンのために、上記クリープ変形あるいは応力緩和のおそれが少ない合成樹脂製クランプ部材を提供することを目的とするものである。
【０００８】
【課題を解決するための手段】
本願第１番目の発明は、上記クランプ部材が、荷重撓み温度が１３０℃以上である合成樹脂材料で形成されていることを特徴とするものである。
【０００９】
上記荷重撓み温度とは、一定速度で昇温したときに、合成樹脂製の単純梁が規定された荷重の下で一定量だけ撓むときの温度である。
【００１０】
本願第２番目の発明は、上記クランプ部材が、溶融温度あるいは軟化点が２２０℃以上である合成樹脂材料で形成されていることを特徴とするものである。
【００１１】
本願第１および第２番目の発明においては、上記合成樹脂材料が、繊維で強化された合成樹脂材料からなることが好ましい。強化繊維としてはは、グラスファイバ、炭素繊維、アラミド繊維等が用いられる。
【００１２】
【発明の効果】
本発明によれば、上記クランプ部材の材料として、クリープ変形あるいは応力緩和のおそれが少ない荷重撓み温度が１３０℃以上である合成樹脂材料、または溶融温度あるいは軟化点が２２０℃以上である合成樹脂材料を選定しているので、高温下での、または高温・高湿下での保管または使用において、テープクランプ力が低下するという問題を回避することができる。
【００１３】
また、グラスファイバ等の繊維で強化された合成樹脂材料は、繊維で強化されていない場合に比較して荷重撓み温度が上昇する。したがって、単体では荷重撓み温度が１３０℃よりも低い合成樹脂材料であっても、グラスファイバー等の繊維で強化することによって、荷重撓み温度を１３０℃以上に上昇させることができるから、上記クランプ部材として用いることができる。
【００１４】
【発明の実施の形態】
以下、本発明の実施の形態を図面に基づいて詳細に説明する。
【００１５】
図１および図２は、本発明による磁気テープカートリッジの斜視図を示し、図１はそのスライドドアの閉状態を、図２はスライドドアの開状態をそれぞれ示す。
【００１６】
磁気テープカートリッジは、上シェル１ａと下シェル１ｂとからなるカートリッジケース１内に、磁気テープが巻装された単一のリールを回転可能に収容している。カートリッジケース１の一側壁には、磁気テープの一端を引き出すためのテープ引出用開口部２が上シェル１ａと下シェル１ｂとに跨がって、かつコーナー部に近接して形成されているとともに、このテープ引出用開口部２を開閉するスライドドア３が摺動可能に設けられている。スライドドア３は、カートリッジケース１内部においてカートリッジケース１とスライドドア３の後端面との間に介装されたばねによって閉位置に向かって付勢され、かつ閉位置に保持されるようになっている。
【００１７】
テープ引出用開口部２の内側には、図２から明らかなように、磁気テープの先端部分をクランプしたリーダピン４が収容されており、この磁気テープカートリッジが対応する外部記憶装置等の記録再生装置にセットされると、下シェル１ｂの中央部の開口に露呈している図示しないリールの係合歯に装置側の回転駆動手段が係合するとともに、装置側のテープ引出し機構によりスライドドア３の前端面３ａが押されてスライドドア３が開かれ、かつ上記テープ引出し機構によりリーダピン４がクランプされて磁気テープとともに装置側に引き込まれることによって、磁気テープが装置側にセットされ、磁気テープに対するデータの書込み／読出しが可能になる。
【００１８】
また、カートリッジケース１の一側には、磁気テープの消去および二重書込みを防止するための回動式の操作つまみ５が露出している。
【００１９】
リーダピン４は、図３に示すように、磁気テープ１０の先端部をクランプするテープクランプ部１１と、このテープクランプ部１１の上下端においてそれぞれ２枚のフランジ１３，１４の間に形成された細軸部１２とを備え、この細軸部１２は、磁気テープカートリッジが記録再生装置にセットされたときに、装置側のテープ引出し機構と係合する係合部を構成するとともに、外側のフランジ（ヘッド部）１３，１３はカートリッジケース１のテープ引出用開口部２の内側におけるリーダピン４に収容部に対する係合部となっている。内側のフランジ１４，１４間のテープクランプ部１１は、幅１／２インチ（１２．７mm）の磁気テープ１０に対応する長さを有する。
【００２０】
図４（ａ），（ｂ）は、図３に示すリーダピンの分解斜視図および横断面図である。
【００２１】
このリーダピン４は、細軸部１２およびフランジ１３，１４をそれぞれ両端に一体に備えた例えば金属製の芯軸部１５と、この芯軸部１５の外周に側方から嵌着されて芯軸部１５とともにテープクランプ部１１を構成する合成樹脂製の弾性を有するクランプ部材１６とから構成されている。このクランプ部材１６は、その全長に亘って軸方向に延びるスリット１６ａを備えてＣ字状の断面形状を有し、その内周面と芯軸部１５の外周面との間に磁気テープ１０の先端部を介在させた態様で、スリット１６ａを通じ芯軸部１５の外周に弾性的に嵌着されて、磁気テープ１０の先端部分を弾性的にクランプするようになっている。
【００２２】
上記クランプ部材１６は、クリープ変形あるいは応力緩和を防止する点から、荷重撓み温度が１３０℃以上である合成樹脂材料、または溶融温度あるいは軟化点が２２０℃以上である合成樹脂材料で形成される。
【００２３】
また、これら合成樹脂材料は、グラスファイバ、炭素繊維、アラミド繊維等で強化されていることが好ましい。このような繊維で強化された合成樹脂材料は、繊維で強化されていない場合に比較して荷重撓み温度が上昇する。したがって、単体では荷重撓み温度が１３０℃未満の合成樹脂材料であっても、この繊維強化によって、荷重撓み温度を１３０℃以上にすることが可能になるから、クランプ部材１６として用いることができる。
【００２４】
なお、結晶性の合成樹脂では融点が明確であるが、非結晶性の合成樹脂では、融点が明確でないため、軟化点という指標を用いる。クランプ部材１６として好ましい材料を下記の表１に例示する。
【００２５】
【表１】
0003836260.tif 000002
【００２６】
表１において、「非強化」とは、グラスファイバ等の強化繊維が混入されていない樹脂グレードを示し、「ＧＦ３０％」は、グラスファイバが３０重量％混入されて強化されている樹脂グレードを示す。
【図面の簡単な説明】
【図１】本発明による磁気テープカートリッジを、そのスライドドアの閉状態で示す斜視図
【図２】図１の磁気テープカートリッジを、そのスライドドアの開状態で示す斜視図
【図３】リーダピンの外形を示す斜視図
【図４】図３に示すリーダピンの分解斜視図および横断面図
【符号の説明】
１    カートリッジケース
１ａ    上シェル
１ｂ    下シェル
２    テープ引出用開口部
３    スライドドア
４    リーダピン
１０    磁気テープ
１１    リーダピンのテープクランプ部
１２    リーダピンの細軸部
１３，１４    リーダピンのフランジ
１５    リーダピンの芯軸部
１６    クランプ部材
【図１】
0003836260.tif 000003
【図２】
0003836260.tif 000004
【図３】
0003836260.tif 000005
【図４】
0003836260.tif 000006